(57)【要約】      （修正有）【課題】開封作業が楽になり、特に、年配者の方々の開封作業の負担を軽減させることができる紙パック容器を提供する。【解決手段】断面四角形状の紙製筒体により形成され、上側が屋根部３により塞がれた紙パック容器であって、前記屋根部は、前記紙製筒体の対向する開封用正面板３１および非開封用背面板を内側に折り込むと共に前記紙製筒体の上端部を封止することにより形成され、前記屋根部の封止部のうちの非開封側には、前記封止部の厚さ方向に貫設された指挿入穴６を設け紙パック容器を形成する。【選択図】図２
0003171112.tif 000002
【実用新案登録請求の範囲】
【請求項１】
断面四角形状の紙製筒体により形成され、上側が屋根部により塞がれた紙パック容器であって、
前記屋根部は、前記紙製筒体の対向する開封用正面板および非開封用背面板を内側に折り込むと共に前記紙製筒体の上端部を封止することにより形成され、
前記屋根部の封止部のうちの非開封側には、前記封止部の厚さ方向に貫設された指挿入穴が形成されていることを特徴とする紙パック容器。
【請求項２】
前記指挿入穴の形状は、楕円形であることを特徴とする請求項１に記載の紙パック容器。
【請求項３】
前記指挿入穴の穴縁は、指の腹部に合致するように湾曲していることを特徴とする請求項１または請求項２に記載の紙パック容器。
【請求項４】
折り込まれた前記開封用正面板を手前に引き出すために引き出し手段が前記開封用正面板に設けられていることを特徴とする請求項１ないし請求項３のいずれか１項に記載の紙パック容器。
【請求項５】
前記引き出し手段は、上方に開口部を有する袋状に形成され、前記開口部から前記引き出し手段内に指を挿入して前記開封用正面板を手前に引き出せるように構成されていることを特徴とする請求項４に記載の紙パック容器。
【考案の詳細な説明】
【技術分野】
【０００１】
本考案は、牛乳やジュース等の液体を封入する紙パック容器に関する。
【背景技術】
【０００２】
図６に示すように、紙パック容器ａは、屋根部ｂを備えている。この屋根部ｂは、四角柱の容器本体ｃの上部ｄを折り込むと共に上部ｄの上端部を封止して形成されている。
【０００３】
そして、注ぎ口は、屋根部ｂの封止部ｅを開封して折り込まれた部分ｆを引き出すことにより形成される（例えば、特許文献１）。
【０００４】
しかし、かかる紙パック容器ａは、開封し難く、特に年配者の方々にとっては開封作業が大きな負担になっていた。
【０００５】
また、一方の手で紙パック容器ａを支えながら、他方の手で紙パック容器ａ開封作業しなければならないため、紙パック容器ａが不安定になり易く、開封作業がさらに困難なものになっていた。
【０００６】
【先行技術文献】
【特許文献】
【０００７】
【特許文献１】特開平８−１１３２３３号公報
【考案の概要】
【考案が解決しようとする課題】
【０００８】
本考案が解決しようとする課題は、開封作業が楽になり、特に、年配者の方々の開封作業の負担を軽減させることができる紙パック容器を提供することである。
【課題を解決するための手段】
【０００９】
請求項１に記載の考案は、
断面四角形状の紙製筒体により形成され、上側が屋根部により塞がれた紙パック容器であって、
前記屋根部は、前記紙製筒体の対向する開封用正面板および非開封用背面板を内側に折り込むと共に前記紙製筒体の上端部を封止することにより形成され、
前記屋根部の封止部のうちの非開封側には、前記封止部の厚さ方向に貫設された指挿入穴が形成されていることを特徴とする紙パック容器である。
【００１０】
請求項２に記載の考案は、
前記指挿入穴の形状が、楕円形であることを特徴とする請求項１に記載の紙パック容器である。
【００１１】
請求項３に記載の考案は、
前記指挿入穴の穴縁は、指の腹部に合致するように湾曲していることを特徴とする請求項１または請求項２に記載の紙パック容器である。
【００１２】
請求項４に記載の考案は、
折り込まれた前記開封用正面板を手前に引き出すために引き出し手段が前記開封用正面板に設けられていることを特徴とする請求項１ないし請求項３のいずれか１項に記載の紙パック容器である。
【００１３】
請求項５に記載の考案は、
前記引き出し手段は、上方に開口部を有する袋状に形成され、前記開口部から前記引き出し手段内に指を挿入して前記開封用正面板を手前に引き出せるように構成されていることを特徴とする請求項４に記載の紙パック容器である。
【考案の効果】
【００１４】
本考案によれば、開封作業が楽になり、特に、年配者の方々の開封作業の負担を軽減させることができる紙パック容器を提供することができる。
【図面の簡単な説明】
【００１５】
【図１】本考案の実施の形態に係る紙パック容器を示す斜視図である。
【図２】本考案の実施の形態に係る紙パック容器の開封作業を示す斜視図である。
【図３】本考案の他の実施の形態に係る紙パック容器を示す斜視図である。
【図４】本考案の他の実施の形態に係る紙パック容器を示す斜視図である。
【図５】本考案の他の実施の形態に係る紙パック容器を示す斜視図である。
【図６】従来の紙パック容器を示す斜視図である。
【考案を実施するための形態】
【００１６】
以下、本考案の実施の形態の紙パック容器について、図面を参照しながら説明する。
【００１７】
１．紙パック容器の構成
図１は、本実施の形態に係る紙パック容器を示す斜視図である。図２は、本実施の形態に係る紙パック容器の開封作業を示す斜視図である。
【００１８】
図１に示すように、紙パック容器１は、ゲーブルトップ型の容器であって、容器本体２と屋根部３とを備えており、屋根部３の棟の位置には封止部４が形成されている。封止部４の正面側が開け口となっている。
【００１９】
容器本体２は、本体正面板２１と、本体背面板２２と、左右一対の本体側面板２３と、底面板２４とを備えている。
【００２０】
屋根部３は、本体正面板２１と折り曲げ線５を介して連続する開封用正面板３１と、本体背面板２２と折り曲げ線５を介して連続する非開封用背面板３２と、本体側面板２３と折り曲げ線５を介して連続する屋根面板３３とを備えている。
【００２１】
屋根部３は、屋根面板３３を折り曲げると共に、開封用正面板３１及び非開封用背面板３２をガセット状に内側に折り込むことにより形成されている。
【００２２】
屋根部３の棟部には封止部４が形成されている。
【００２３】
封止部４は、屋根面板３３の上端部に形成されたシール用フラップ部３３１間に、開封用正面板３１及び非開封用背面板３２の上端部に形成された折り込みフラップ部３１１、３２１を位置させ、これらを糊付けすることにより形成されている。
【００２４】
封止部４のうちの開封側とは反対側の端部には、指Ｆを挿入するための指挿入穴６が形成されている。指挿入穴６は楕円形の形成されており、指挿入穴６の縁部は、指Ｆの腹部と合致するように湾曲している。
【００２５】
これにより、開封作業者が指Ｆを指挿入穴６に挿入したときに、指Ｆが指挿入穴６にフィットすることができ、違和感なく、快適に開封作業をすることができるようになっている。
【００２６】
開封用正面板３１には、開封用正面板３１を引き出すための引き出し手段７が設けられている。
【００２７】
引き出し手段７は、上方に開口する袋体を開封用正面板３１の表面に取り付けることにより形成されており、開口から引き出し手段７内に指を挿入できるようになっている。なお袋体は、合成樹脂シート等の可撓性を有する材料で形成されている。
【００２８】
引き出し手段７の形態は、特に限定されるものではなく、例えば、図３〜図５に示すように、指でつまむことができる舌片体７１を開封用正面板３１の表面に取り付けることにより形成される。
【００２９】
２．紙パック容器の開封作業
以上のようにして構成される紙パック容器１を開封する場合には、開封作業者は、まず、開封用正面板３１の折り込みフラップ部３１１を、屋根面板３３のシール用フラップ部３３１と共に左右に押し拡げて、引き出し手段７を露出させる。
【００３０】
次に、図２に示すように、開封者の一方の手の指Ｆを指挿入穴６に挿入して紙パック容器１を保持し、開封者の他方の手の指Ｆを引き出し手段７内に指を挿入する。そして、図２の白抜き矢印の方向に開封用正面板３１を引き出すことにより、封止部４が開封されて注ぎ口が形成される。
【００３１】
３．本実施の形態の効果
（１）本実施の形態の紙パック容器１は、封止部４のうちの開封側とは反対側の端部には、指Ｆを挿入するための指挿入穴６が形成されている。このため、折り込まれた開封用正面板３１を引き出して開封する際に、開封者は、指を指挿入穴６に挿入して紙パック容器１を保持することができる。
【００３２】
このように、紙パック容器１全体をつかむことなく、指を指挿入穴６に挿入して紙パック容器１を保持することができるため、開封作業の負担を軽減することができる。
【００３３】
そして、あとは開封用正面板３１を引き出すだけで、紙パック容器を開封できるため、開封作業が楽になり、特に中高年の方々にとっては、開封作業の負担の軽減割合が多くなる。
【００３４】
（２）また、開封作業の際に、紙パック容器１を握り締める必要がないため、開封作業中に紙パック容器１が強く握られて変形することにより、中身が外に飛び出すことがなくなる。
【００３５】
（３）また、開封作業の際に、紙パック容器１の頂部である封止部４を指Ｆで安定的に位置決めがすることができるため、開封作業中に紙パック容器１が傾いて中身がこぼれるのを防ぐことができる。
【００３６】
（４）さらに、開封用治具が不要になるため、手軽に開封作業を行うことができる。
【００３７】
４．他の実施の形態
引き出し手段７を形成しない実施の形態も考えられる。かかる実施の形態では、開封用正面板３１の折り込みフラップ部３１１を、屋根面板３３のシール用フラップ部３３１と共に左右に押し拡げた後は、開封者の指先を、折り込みフラップ部３１１とシール用フラップ部３３１との間に挿入する等して開封用正面板３１を引き出すことになる。
【００３８】
このような開封作業の際でも、開封者は、指を指挿入穴６に挿入して紙パック容器１を保持することができるため、開封作業の負担を軽減することができる。
【００３９】
以上、実施の形態に基づいて本考案を説明したが、上記の実施の形態に限定されるものではなく、本考案と同一及び均等の範囲内において、種々の変更を加えることができる。
【符号の説明】
【００４０】
１          紙パック容器
２          容器本体
３          屋根部
４          封止部
５          折り曲げ線
６          指挿入穴
７          引き出し手段
２１        本体正面板
２２        本体背面板
２３        本体側面板
２４        底面板
３１        開封用正面板
３２        非開封用背面板
３３        屋根面板
７１        舌片体
３１１      開封用正面板の折り込みフラップ部
３２１      非開封用背面板の折り込みフラップ部
３３１      屋根面板のシール用フラップ部
Ｆ          指
【図１】
0003171112.tif 000003
【図２】
0003171112.tif 000004
【図３】
0003171112.tif 000005
【図４】
0003171112.tif 000006
【図５】
0003171112.tif 000007
【図６】
0003171112.tif 000008